(57)【要約】【課題】誘導加熱調理器の清掃性と使い勝手を保ち、組立性を向上することを目的とする。【解決手段】本体３の上面にトッププレート１を備え、本体３の内部にロースター部７を備え、トッププレート１の端部にロースター部７で発生した煙等を排出する通気口８を設けたプレートワク２を備え、通気口８には開口孔１５を有した吸排気口カバー１３を備えプレートワク２の通気口８の周囲に設けた係合孔４０に挿入し吸排気口カバー１３を支える吸排気口カバースペーサ３０を備え係合孔４０は、すり鉢状に窪んだテーパ部４０ａと、テーパ部４０ａの先端部に小径の孔４０ｂとを設けた。【選択図】  図５
2013168262.tif 000002
【特許請求の範囲】
【請求項１】
本体の上面に設けられたトッププレートと、
前記本体の内部に設けられたロースター部と、
前記ロースター部で発生した煙等を排出する通気口を設けたプレートワクと、
前記通気口の上方に設けられ、開口孔を有した吸排気口カバーと、
前記プレートワクに設けた係合孔に挿入され、前記吸排気口カバーを支持する吸排気口カバースペーサと、
を備えた誘導加熱調理器であって、
前記係合孔は、すり鉢状に窪んだテーパ部で囲まれていることを特徴とする誘導加熱調理器。
【発明の詳細な説明】
【技術分野】
【０００１】
本発明は、本体内に誘導加熱用の加熱コイルとロースター部を備えた誘導加熱調理器に関するものである。
【背景技術】
【０００２】
従来のこの種の誘導加熱調理器は、本体の上部はトッププレートで覆われ、トッププレートには調理鍋載置部が設けられ、本体内には加熱コイルと、この加熱コイルを駆動する制御基板と、加熱コイルと制御基板を冷却するための風路と、風路に冷却風を供給する冷却ファンと、ヒータによる魚等の焼き物を行うロースター部と、このロースター部からの排気を行うダクトを備えている。また、本体背面側には冷却用に外部の空気を吸気する吸気口と、冷却後の空気を排気する排気口、およびロースター部からの排気を行う排気口を備え、本体前面側には操作部が備えられている。さらに、吸気口と排気口には調理物が内部に落ちないように着脱可能な吸排気口カバーで覆われている。
【０００３】
そして、冷却空気は本体の背面側の吸気口から吸排気口カバーを介して吸気され、冷却ファンに供給され、冷却ファンによって制御基板や加熱コイルを冷却する冷却空気となって流れ、制御基板と加熱コイルを冷却した空気は、排気として本体の背面に位置する排気口へ向かい、排気口から吸排気口カバーを通過する排気となって流れ出ていく、また、ロースター部で調理を行った際に発生する水蒸気や油煙は排気ダクトを通って排気口から同じく吸排気口カバーを通して排気される。
【０００４】
その吸排気口カバーは、高温となりさらに魚等の排煙、また調理の水蒸気や油煙等により著しく汚れてしまうため、本体から簡単に外して清掃できるように吸排気口に載置するものが一般的である。そしてその吸排気口カバーに本体や鍋の振動が伝わって異音が発生しないように吸排気口カバースペーサがプレートワクに固定されて吸排気口カバーを支えている（特許文献１）。
【０００５】
その吸排気口カバースペーサは、特許文献２の図６に示すように吸排気口の周囲の４箇所に円柱形ボスによって構成するものがある（特許文献２）。
【先行技術文献】
【特許文献】
【０００６】
【特許文献１】特開２００８−１５２９８２号公報
【特許文献２】特開２００５−３４５０３６号公報
【発明の概要】
【発明が解決しようとする課題】
【０００７】
しかしながら、特許文献２の図６に示す円柱形ボスの吸排気口カバースペーサで、円柱形ボスの下部が特許文献１の図４に示す係合突起３８ｂの形状として、鋼材の抜き穴による係合孔２７、３６に係合突起３８ｂを係合する構成では、吸排気口カバーを外して吸排気口の周囲を布巾などで拭き掃除をするとき吸排気口カバースペーサが外れ難くするために、係合孔の穴径を係合突起の径に比べて小さくすると係合突起が係合孔から外れ難くなるが、係合突起を係合孔に挿入し難く組立性が悪いという課題があった。
【０００８】
本発明は、上記の問題を解決するためになされたものであり、誘導加熱調理器の清掃性と使い勝手を保ち、組立性を向上することを目的とする。
【課題を解決するための手段】
【０００９】
上記の問題は、本体の上面に設けられたトッププレートと、前記本体の内部に設けられたロースター部と、前記ロースター部で発生した煙等を排出する通気口を設けたプレートワクと、前記通気口の上方に設けられ、開口孔を有した吸排気口カバーと、前記プレートワクに設けた係合孔に挿入され、前記吸排気口カバーを支持する吸排気口カバースペーサと、を備えた誘導加熱調理器であって、前記係合孔は、すり鉢状に窪んだテーパ部で囲まれている誘導加熱調理器によって解決できる。
【発明の効果】
【００１０】
本発明の誘導加熱調理器は、上記のように構成したことにより、吸排気口カバースペーサの係合突起がプレートワクの係合孔から外れ難く誘導加熱調理器の清掃性と使い勝手を保ち、且つ、係合突起を係合孔に挿入し易く組立性を向上することができる。
【図面の簡単な説明】
【００１１】
【図１】一実施例の誘導加熱調理器の斜視図である。
【図２】一実施例の誘導加熱調理器の概略斜視図である。
【図３】一実施例の誘導加熱調理器の吸排気口カバーを外す通気口の斜視図である。
【図４】一実施例の誘導加熱調理器の通気口の要部断面図である。
【図５】一実施例の誘導加熱調理器の吸排気口カバースペーサ部の断面拡大図である。
【図６】一実施例の誘導加熱調理器の吸排気口カバースペーサの斜視図である。
【発明を実施するための形態】
【００１２】
以下、本発明の一実施例を図１〜図６を参照して説明する。
【００１３】
図１、図２において、１は誘導加熱調理器上面に配置されたトッププレートであり、耐熱性が高い結晶化ガラスで構成されている。２はトッププレート１の周り端部に固着されたプレートワクである。
【００１４】
トッププレート１とプレートワク２の間には、シール材（図示せず）が充填され水密構造となっている。またプレートワク２は、誘導加熱調理器の本体３にも固定されており、誘導加熱調理器をシステムキッチン（図示せず）に取り付ける際は、プレートワク２で誘導加熱調理器の本体３を吊り上げて設置される。従ってシステムキッチンの上表面に出るのはトッププレート１とプレートワク２の部分である。
【００１５】
トッププレート１の上には被加熱物の鍋を置くが、鍋を置く手前には誘導加熱調理器の運転状態あるいは運転するための設定状態（火力、タイマーの設定状態、揚げ物調理時の油温等）を数値および文字、図形表示により、トッププレート１面に表示する表示部４が配備されている。
【００１６】
また、プレートワク２の前部には、後記する加熱コイル５への通電入／切スイッチや、火力調節を行うスイッチ類９が配備されている。１１はメインスイッチである。
【００１７】
トッププレート１の下方の本体３内には鍋を加熱する加熱コイル５（左右に２個配置されている）とラジェントヒータ６が配置されている。
【００１８】
本体３の前面左部には、魚やグラタン、ピザ等を焼くロースター部７が設けられている。
【００１９】
ロースター部７は、前面が開口した箱型をしており、内部の調理庫内にシーズヒータ等の発熱体と内部の温度を検出する温度センサ等が設けられ、前面部はハンドル７ａが取り付けられたドア７ｂにより塞がれている。
【００２０】
ロースターのドア７ｂには、その裏側に受皿が取り付けられており、調理庫内に前面開口部から出し入れ自在に収納され、受皿の上に載置された焼網の上に魚やピザ等の食材を載せて調理する。
【００２１】
ロースター部７の後方上部にはロースター部７で発生する煙等を排出する排気口２０（図３）がダクト２１の先端に設けられている。
【００２２】
本体３の前面右部には、本体３へ供給する電源の主電源スイッチ１１と、開閉収納式に設けたロースター部７の加熱調理条件等を入力する前面操作部１６が設けられている。
【００２３】
前面操作部１６は、下方に設けられた回動軸を中心として操作パネル（図示せず）の上方が前面側に倒れ、操作パネルが上方側に向かって露出する所謂カンガルーポケット形態のものである。
【００２４】
図１は、開閉収納式の前面操作部１６を閉じた状態が示されており、図２は前面操作部１６が開けられた状態が示されている。
【００２５】
１０は制御基板で、ロースター部７の発熱体やラジエントヒータ６、加熱コイル５等の加熱手段の駆動制御を行う。
【００２６】
８は通気口で、トッププレート１の背面側のプレートワク２に設けられており、正面から見て左側の通気口８は排気側となり、右側の通気口８は吸気側となっている。
【００２７】
排気側の通気口８について図１〜図３を用いて詳細に説明する。
【００２８】
排気側の通気口８は、ロースター部７の排気口２０からの排出と、排気口２０を囲んで配置される冷却風排気口２０ａでの本体３内の加熱コイル５及び制御基板１０を冷却した廃熱（熱気）の排出を集約して排出される。
【００２９】
１４は冷却ファンで、右側の通気口８の下部に吸気口２２とダクト２３を介して備えられており、右側の通気口８から外気を吸気して冷却空気として制御基板１０と加熱コイル５に主に送風し冷却する。そして、制御基板１０と加熱コイル５を冷却した空気は最終的に集約され、排気として左側の通気口８の冷却風排気口２０ａから本体３外に排気される。
【００３０】
１３は吸排気口カバーで、板厚が略１mmのアルミニウム材よりなる板状のもので構成されており、トッププレート１の背面側の左右２箇所の通気口８を覆い、通気口８の中に調理物などが入り込まないようにガードするものである。
【００３１】
吸排気口カバー１３には、縦５mm横２０mmの矩形状をした開口孔１５が横２２mmピッチ、縦７mmピッチで並べられて開口している。
【００３２】
なお、開口孔１５の大きさは、調理物のもやしが通気口８の内部に入り込まないようにすることを条件としており、本実施例では縦５mm横２０mmの矩形状をした開口孔１５としたものである。
【００３３】
吸排気口カバー１３は、ロースター部７からの高温の排気により高温となり、さらに魚等の排煙等により著しく汚れてしまうため、吸排気口カバー１３に焼き付けセラミック塗装を施すことにより汚れを簡単に清掃できるように構成している。
【００３４】
また、この吸排気口カバー１３は通気口８に被せるように装着しているので簡単に外すことができるため、吸排気口カバー１３を外して通気口８の周りや、吸排気口カバー１３を簡単に清掃することができる。
【００３５】
図３から図６において、プレートワク２の通気口８の周囲には、吸排気口カバー１３を支える複数の吸排気口カバースペーサ３０を備える。
【００３６】
吸排気口カバースペーサ３０は、プレートワク２の上面に位置して吸排気口カバー１３を直接支持するゴム製の略円柱形状の支え部３０ａと、プレートワク２の後述する孔４０ｂより挿入されてプレートワク２の裏側で係止し前記孔４０ｂより大きく先端部が円錐状となった係合突起３０ｃと、支え部３０ａと係合突起３０ｃとをつなぎプレートワク２の孔４０ｂに挿入される円柱部３０ｂとで構成され、支え部３０ａの底面を構成する下端３０ｅと契合突起３０ｃの上端面の上面３０ｄとでプレートワク２を挟むように固定される。
【００３７】
そして、プレートワク２に吸排気口カバースペーサ３０を備える係合孔４０を備える。
【００３８】
図５、図６において、その係合孔４０は、上方が大径で下方が小径のすり鉢状に窪んだテーパ部４０ａと、テーパ部４０ａの先端部に小径の孔４０ｂとを設けたことで、孔４０ｂの角部４０ｃがプレートワク２の裏面に突出する。
【００３９】
そして、吸排気口カバースペーサ３０をプレートワク２に固定する時は、プレートワク２の上面から係合孔４０に吸排気口カバースペーサ３０の係合突起３０ｃを挿入して係止させる。その場合、係合孔４０は上方が大径で下方が小径のすり鉢状のテーパ部４０ａになっているので、吸排気口カバースペーサ３０の円錐状の係合突起３０ｃは係合孔４０に挿入し易く組立性を良くできる。
【００４０】
そして、一度、吸排気口カバースペーサ３０が係合突起３０ｃで係止すると、プレートワク２の裏側に突出した角部４０ｃが、吸排気口カバースペーサ３０の上面３０ｄと接触する。特に吸排気口カバースペーサ３０をゴム製とした場合には、係合突起３０ｃの上面３０ｄに角部４０ｃが擦れ、孔４０ｂの下方から係合突起３０ｃが上方へ抜けるのを防止している。
【００４１】
次に、以上の構成による動作を説明する。
【００４２】
使用者がトッププレート１上の例えば、右側の加熱コイル５の上に鍋を載せて加熱する場合、鍋を載せた後、メインスイッチ１１をＯＮにする。
【００４３】
次にプレートワク２の前部のスイッチ類９に備えられている加熱コイル５への通電入／切スイッチを押し、火力を選んで通電を開始すると、本体３内の冷却ファン１４が動作し、右側の通気口８に配されている吸排気口カバー１３に開けられている開口孔１５より吸気して、加熱コイル５や制御基板１０に送風して冷却し、冷却風排気口２０ａから左側の通気口８に配されている吸排気口カバー１３に開けられた開口孔１５より排気される。
【００４４】
また、ロースター部７で焼き物調理を行う場合は、ロースター部７の前面を開口させて内部に調理物を入れた後、メインスイッチ１１をＯＮにする。次に、前面操作部１６を開いてロースター部７内の発熱体への通電入／切スイッチを押し、通電を開始すると、本体３内の冷却ファン１４が動作し、右側の通気口８に配されている吸排気口カバー１３に開けられている開口孔１５より吸気して、制御基板１０に送風して冷却し、左側の通気口８に配されている吸排気口カバー１３に開けられた開口孔１５より排気される。又ロースター部７で発生する水蒸気を含んだ煙はダクト２１を介し排気口２０から左側の通気口８に配されている吸排気口カバー１３に開けられた開口孔１５より排気される。
【００４５】
そして、吸排気口カバー１３は吸排気口カバースペーサ３０により、冷却ファン１４のモータの振動や鍋で調理する振動によるビビリ音などの異音の発生を抑えて騒音を気にせず調理することができる。
【００４６】
また、調理が終了し、トッププレート１、プレートワク２や吸排気口カバー１３を清掃する場合、吸排気口カバー１３をプレートワク２から外し、吸排気口カバー１３の下方になる通気口８の周囲を清掃する場合に、通気口８の周囲に設けた吸排気口カバースペーサ３０も拭き掃除する。
【００４７】
その際、吸排気口カバースペーサ３０は、プレートワク２の裏側に突出した角部４０ｃが、吸排気口カバースペーサ３０の上面３０ｄと接触し、係合突起３０ｃの上面３０ｄに角部４０ｃが擦れ、孔４０ｂの下方から係合突起３０ｃが上方へ抜けるのを防止しているので、拭き掃除の時に簡単にプレートワク２から外れることなく清掃ができる。
【００４８】
更に、以上の構成による組立性を説明する。
【００４９】
プレートワク２のすり鉢状の係合孔４０のテーパ部４０ａに沿わせて吸排気口カバースペーサ３０の下部の係合突起３０ｃを孔４０ｂに押し当てると、下部の係合突起３０ｃが孔４０ｂに挿入されて、中段の円柱部３０ｂが孔４０ｂに嵌る。そして、孔４０ｂの下部の角部４０ｃが吸排気口カバースペーサ３０の係合突起３０ｃの上面３０ｄと接触して摩擦を発生させてしっかり引っかかる。
【００５０】
以上、上記実施例によれば、吸排気口カバースペーサ３０の係合突起３０ｃがプレートワク２の係合孔４０から外れ難く誘導加熱調理器の清掃性と使い勝手を保ち、且つ係合突起３０ｃを係合孔４０に挿入し易く組立性を向上することができる。
【符号の説明】
【００５１】
１  トッププレート
２  プレートワク
３  本体
５  加熱コイル
７  ロースター部
１０  制御基板
１３  吸排気口カバー
１５  開口孔
２０  排気口
２０ａ  冷却風排気口
２１  ダクト
２２  吸気口
３０  吸排気口カバースペーサ
３０ｃ  係合突起
４０ａ  テーパ部
４０ｂ  孔
４０ｃ  角部
【図１】
2013168262.tif 000003
【図２】
2013168262.tif 000004
【図３】
2013168262.tif 000005
【図４】
2013168262.tif 000006
【図５】
2013168262.tif 000007
【図６】
2013168262.tif 000008